(57)【要約】【課題】消費電力を低減しつつ、その状態をユーザが認識し易いコンセント装置を提供する。【解決手段】コンセント装置４０は、スイッチング素子４２と、電流計測部４５と、通信部４７と、発光装置４８と、ＥＣＵ４９とを備える。通信部は、同報装置から送信される電流調整指令を受信する。スイッチング素子４２は、プラグ挿入部４１に供給される電力を遮断することが可能である。電流計測部は、電路ＷＥを流れる電流を計測する。ＥＣＵ４９は、電流調整指令に基づいて遮断判定値を設定するとともに、電流計測部により計測される電流値が遮断判定値以上になることを条件にスイッチング素子４２によりプラグ挿入部４１への電力の供給を遮断する。発光装置４８は、電流調整指令が通信部４７により受信されることを条件に報知を行う。【選択図】図３
2019118225.tif 000002
【特許請求の範囲】
【請求項１】
同報装置から送信される電流調整指令を受信する通信部と、
電路を介して電力が供給され、差し込みプラグを挿入可能なプラグ挿入部と、
前記プラグ挿入部に供給される電力を制限する電力供給制限部と、
前記電路を流れる電流を計測する電流計測部と、
前記電流調整指令に基づいて遮断判定値を設定するとともに、前記電流計測部により計測される電流値が前記遮断判定値以上になることを条件に前記電力供給制限部により前記プラグ挿入部への電力の供給を制限する制御部と、
前記電流調整指令が前記通信部により受信されることを条件に報知を行う報知部と、
を備えるコンセント装置。
【請求項２】
前記報知部は、前記電流値と前記遮断判定値との偏差である逸脱電流値に基づいて報知態様を変化させる
請求項１に記載のコンセント装置。
【請求項３】
前記報知部は、所定の時間間隔を置いて断続的に報知を行うものであり、前記逸脱電流値が大きくなるほど、前記所定の時間間隔を短くする
請求項２に記載のコンセント装置。
【請求項４】
前記電流調整指令を前記通信部により受信することを条件に前記報知部により行われる報知態様を第１報知態様とするとき、
前記報知部は、前記プラグ挿入部への電力の供給が実際に制限されることを条件に、第１報知態様とは異なる第２報知態様で報知を行う
請求項１〜３のいずれか一項に記載のコンセント装置。
【請求項５】
前記電力供給制限部は、前記電路を遮断することにより前記プラグ挿入部への電力の供給を制限するスイッチング素子からなる
請求項１〜４のいずれか一項に記載のコンセント装置。
【請求項６】
前記報知部は、音を発することにより報知を行うスピーカ装置である
請求項１〜５のいずれか一項に記載のコンセント装置。
【請求項７】
前記報知部は、発光により報知を行う発光装置である
請求項１〜５のいずれか一項に記載のコンセント装置。
【発明の詳細な説明】
【技術分野】
【０００１】
本開示は、コンセント装置に関する。
【背景技術】
【０００２】
従来、下記の特許文献１に記載の電力制御システムがある。特許文献１に記載の電力制御システムは、同報送信要素と、複数の電力消費要素とを備えている。同報送信要素は、複数の電力消費要素において消費される総消費電力の現在値と総消費電力の基準値との差を測定し、その差の関数である総消費電力調整指示値を決定する。同報送信要素は、決定した総消費電力調整指示値を複数の電力消費要素にそれぞれ送信する。電力消費要素は、同報送信要素から送信される総消費電力調整指示値を受信すると、自己に予め与えられた優先度と総消費電力調整指示値とを用いて消費電力更新値を演算するとともに、演算された消費電力更新値に基づいて自己の消費電力を制御する。具体的には、電力消費要素は、自己が備える遮断器やインバータの制御により消費電力更新値の値だけ自己の消費電力を削減する。
【先行技術文献】
【特許文献】
【０００３】
【特許文献１】特開２０１７−１５８４３０号公報
【発明の概要】
【発明が解決しようとする課題】
【０００４】
ところで、特許文献１に記載の電力制御システムでは、電力消費要素として例えばコンセント装置が用いられている場合、同報送信要素から送信される消費電力更新値に基づいてコンセント装置が自動的に消費電力を削減することになる。しかしながら、ユーザは、コンセント装置の消費電力が削減されたことを認知できない。コンセント装置に接続された電気機器をユーザが使用している状況で当該コンセントの消費電力が自動的に削減されると、コンセント装置に接続された電気機器が通常通りに動作しなくなったり、悪くすると電気機器の使用が不可能となったりする。これが、ユーザに違和感を与える要因となっている。
【０００５】
本開示は、こうした実情に鑑みてなされたものであり、その目的は、消費電力を低減しつつ、その状態をユーザが認識し易いコンセント装置を提供することにある。
【課題を解決するための手段】
【０００６】
上記課題を解決するコンセント装置は、通信部と、プラグ挿入部と、電力供給制限部と、電流計測部と、制御部と、報知部と、を備える。通信部は、同報装置から送信される電流調整指令を受信する。プラグ挿入部は、電路を介して電力が供給され、差し込みプラグを挿入可能である。電力供給制限部は、プラグ挿入部に供給される電力を制限する。電流計測部は、電路を流れる電流を計測する。制御部は、電流調整指令に基づいて遮断判定値を設定するとともに、電流計測部により計測される電流値が遮断判定値以上になることを条件に電力供給制限部によりプラグ挿入部への電力の供給を制限する。報知部は、電流調整指令が通信部により受信されることを条件に報知を行う。
【０００７】
この構成によれば、報知部の報知により、プラグ挿入部への電力の供給が制限される状況が近いことをユーザが認知できる。よって、ユーザがコンセント装置の状態を認識し易くなる。また、その後にプラグ挿入部への電力の供給が実際に制限されることにより、コンセント装置の消費電力を低減することもできる。
【０００８】
上記のコンセント装置において、報知部は、電流値と遮断判定値との偏差である逸脱電流値に基づいて報知態様を変化させることが好ましい。
例えば、報知部は、所定の時間間隔を置いて断続的に報知を行うものであり、逸脱電流値が大きくなるほど、所定の時間間隔を短くすることが好ましい。
【０００９】
これらの構成によれば、報知部の報知態様の変化により、プラグ挿入部への電力の供給が実際に制限される状況がどの程度近いかをユーザが認知することができるため、コンセント装置の状態をユーザが更に認識し易くなる。
上記のコンセント装置において、電流調整指令を通信部により受信することを条件に報知部により行われる報知態様を第１報知態様とするとき、報知部は、プラグ挿入部への電力の供給が実際に制限されることを条件に、第１報知態様とは異なる第２報知態様で報知を行うことが好ましい。
【００１０】
この構成によれば、報知部の態様が第１報知態様から第２報知態様に切り替わることにより、プラグ挿入部への電力供給が実際に制限されたことをユーザが認知することができるため、コンセント装置の状態をユーザが更に認識し易くなる。
上記のコンセント装置において、電力供給制限部は、電路を遮断することによりプラグ挿入部への電力の供給を制限するスイッチング素子からなることが好ましい。
【００１１】
この構成によれば、プラグ挿入部への電力の供給を確実に遮断することができるため、より確実にコンセント装置の消費電力を低減することができる。
上記のコンセント装置において、報知部は、音を発することにより報知を行うスピーカ装置であることが好ましい。
【００１２】
この構成によれば、スピーカ装置から発せられる音によりコンセント装置の状態をユーザが容易に認識することができる。
上記のコンセント装置において、報知部は、発光により報知を行う発光装置であることが好ましい。
【００１３】
この構成によれば、発光装置の発光状態に基づいてコンセント装置の状態をユーザが容易に認識することができる。
【発明の効果】
【００１４】
本開示によれば、消費電力を低減しつつ、その状態をユーザが認識し易いコンセント装置を提供できる。
【図面の簡単な説明】
【００１５】
【図１】図１は、第１実施形態の電源システムの概略構成を示すブロック図である。
【図２】図２は、第１実施形態の同報装置の概略構成を示すブロック図である。
【図３】図３は、第１実施形態のコンセント装置の概略構成を示すブロック図である。
【図４】図４は、第１実施形態のコンセント装置のＥＣＵにより実行される処理の手順を示すフローチャートである。
【発明を実施するための形態】
【００１６】
以下、コンセント装置の一実施形態について図面を参照しながら説明する。説明の理解を容易にするため、各図面において同一の構成要素に対しては可能な限り同一の符号を付して、重複する説明は省略する。
＜第１実施形態＞
図１に示されるように、本実施形態のコンセント装置４０は、住宅の電源システム１０の一構成要素として用いられている。はじめに、住宅の電源システム１０の概要について説明する。図１に示されるように、電源システム１０は、分電盤２０と、同報装置３０と、複数のコンセント装置４０とを備えている。
【００１７】
分電盤２０は、主幹漏電ブレーカ２１と、複数の分岐ブレーカ２２，２３とを備えている。
主幹漏電ブレーカ２１の一次側には、引き込み線ＷＡが接続されている。引き込み線ＷＡは、２本の電圧相ＬＡ１，ＬＡ２及び一本の中性相ＮＡからなる単相３線式の電路として構成されている。主幹漏電ブレーカ２１には、商用電力系統から引き込み線ＷＡを介して電力が供給されている。主幹漏電ブレーカ２１の二次側には、単相３線式の二次側電路ＷＢが接続されている。二次側電路ＷＢには、分岐ブレーカ２２，２３が接続されている。主幹漏電ブレーカ２１は、漏電等により引き込み線ＷＡから二次側電路ＷＢに流れる電流が所定値を超えたときに引き込み線ＷＡと二次側電路ＷＢとの接続を遮断する。
【００１８】
分岐ブレーカ２２，２３の一次側は、単相２線式の分岐電路ＷＣを介して例えば二次側電路ＷＢの電圧相ＬＢ１，ＬＢ２のいずれか一方と中性相ＮＢと接続されている。分岐ブレーカ２２の二次側には単相２線式の分岐電路ＷＤを介して同報装置３０が接続されている。分岐電路ＷＤを介して同報装置３０に供給される交流電力は同報装置３０の動作電源として用いられる。分岐ブレーカ２２は、分岐電路ＷＣから分岐電路ＷＤに流れる電流が所定値を超えたときに分岐電路ＷＣと分岐電路ＷＤとの接続を遮断する。複数の分岐ブレーカ２３には分岐電路ＷＥを介してコンセント装置４０がそれぞれ接続されている。分岐電路ＷＥは、電圧相ＬＥ１及び中性相ＮＥからなる単相２線式の電路として構成されている。分岐電路ＷＥを介してコンセント装置４０に供給される交流電力は、コンセント装置４０に接続される各種電気機器の動作電源として用いられる。分岐ブレーカ２３は、分岐電路ＷＣから分岐電路ＷＥに流れる電流が所定値を超えたときに分岐電路ＷＣと分岐電路ＷＥとの接続を遮断する。
【００１９】
同報装置３０は、引き込み線ＷＡを流れる電流を監視するとともに、その電流値が所定の電流基準値以上になったときに複数のコンセント装置４０に電流逸脱情報をそれぞれ送信する。電流基準値は、作業者等が任意に設定可能である。複数のコンセント装置４０は、同報装置３０から送信される電流逸脱情報に基づいて、自身の動作電流を個別に遮断する。これにより、引き込み線ＷＡを流れる電流が大きくなり過ぎることが抑制されるようになっている。したがって、電流基準値の設定次第で、住宅の電力状況を任意に設定することが可能となっている。例えば住宅内の総消費電力の上限値に対応する値を電流基準値として用いれば、住宅内の総消費電力が上限値を超えない状況を実現できる。また、例えば主幹漏電ブレーカ２１が遮断状態になる電流値よりも所定値だけ小さい値を電流基準値として用いれば、主幹漏電ブレーカ２１が遮断状態になることを未然に回避可能な状況を実現できる。このように、本実施形態では、同報装置３０からコンセント装置４０に送信される電流逸脱情報が、コンセント装置４０に対して動作電流の調整を指令する電流調整指令に相当する。
【００２０】
図２に示されるように、同報装置３０は、電源部３１と、電流計測部３２と、設定部３３と、通信部３４と、ＥＣＵ（Electronic Control Unit）３５とを備えている。
電源部３１には、分岐電路ＷＤが接続されている。電源部３１は、分岐電路ＷＤから供給される交流電力を直流電力に変換するとともに、変換された直流電力を、ＥＣＵ３５を含む同報装置３０の各種電子機器に供給する。これにより、ＥＣＵ３５等の各種電子機器の動作電源が確保されている。
【００２１】
電流計測部３２は、引き込み線ＷＡの電圧相ＬＡ１，ＬＡ２のそれぞれを流れる電流値ＩＡ１，ＩＡ２を検出するとともに、検出された電流値ＩＡ１，ＩＡ２に応じた検出信号をＥＣＵ３５に送信する。
設定部３３は、同報装置３０の各種パラメータを設定したり、あるいは設定されたパラメータを変更したりする際に作業者により操作される部分である。例えば、設定部３３では、パーソナルコンピュータや端末装置等の外部機器を接続することによりパラメータの設定や変更等が可能となっている。設定部３３において設定可能なパラメータには、例えば分電盤２０に接続されているコンセント装置４０の数や電流基準値等が含まれている。設定部３３は、設定された電流基準値等を表示する表示部３３０を有している。作業者は、表示部３３０の表示を見ることにより、設定部３３にて設定された電流基準値等を確認することができる。設定部３３は、設定又は変更された電流基準値等の情報をＥＣＵ３５に送信する。
【００２２】
通信部３４は、ＥＣＵ３５の指令に基づいて各種情報を無線通信により複数のコンセント装置４０に送信する。
ＥＣＵ３５は、ＣＰＵやＲＯＭ、ＲＡＭ、不揮発性メモリ等を有するマイクロコンピュータを中心に構成されている。ＥＣＵ３５の不揮発性メモリには、設定部３３からＥＣＵ３５に送信されるコンセント装置４０の数や電流基準値等の情報が記憶される。ＥＣＵ３５は、電流計測部３２の検出信号に基づいて、引き込み線ＷＡの電圧相ＬＡ１，ＬＡ２のそれぞれを流れる電流値ＩＡ１，ＩＡ２の情報を取得する。ＥＣＵ３５は、電流値ＩＡ１及び電流値ＩＡ２のうちの値の大きい電流値を参照電流値として選択するとともに、選択された参照電流値が電流基準値以上であるか否かを判定する。ＥＣＵ３５は、参照電流値が電流基準値以上である場合、それらの偏差である逸脱電流値ΔＩを演算する。そして、ＥＣＵ３５は、演算された逸脱電流値ΔＩを含む電流逸脱情報を、通信部３４を通じて複数のコンセント装置４０にそれぞれ送信する。
【００２３】
図３に示されるように、コンセント装置４０は、プラグ挿入部４１と、スイッチング素子４２と、駆動部４３とを備えている。
プラグ挿入部４１には、分岐電路ＷＥが接続されている。プラグ挿入部４１には、分岐電路ＷＥを通じて交流電力が供給されている。プラグ挿入部４１には、住宅の各種電気機器の差し込みプラグが挿入可能である。プラグ挿入部４１に電気機器の差し込みプラグが挿入されると、分岐電路ＷＥを通じて電気機器に交流電力が供給される。
【００２４】
スイッチング素子４２は、分岐電路ＷＥの電圧相ＬＥ１の途中に設けられている。スイッチング素子４２がオン状態である場合、分岐電路ＷＥからプラグ挿入部４１に電力が供給される。スイッチング素子４２がオフ状態である場合、分岐電路ＷＥからプラグ挿入部４１への電力の供給が遮断される。スイッチング素子４２は、通常、オン状態に保持されている。本実施形態では、スイッチング素子４２が、プラグ挿入部４１に供給される電力を制限する電力供給制限部に相当する。
【００２５】
駆動部４３は、オン状態に保持されているスイッチング素子４２をオフ状態に切り替えるための装置である。以下では、便宜上、スイッチング素子４２がオフである状態を、コンセント装置４０の遮断状態とも称する。
コンセント装置４０は、電源部４４と、電流計測部４５と、設定部４６と、通信部４７と、発光装置４８と、ＥＣＵ４９とを更に備えている。
【００２６】
電源部４４には、分岐電路ＷＥが接続されている。電源部４４は、分岐電路ＷＥから供給される交流電力を直流電力に変換するとともに、変換された直流電力を、ＥＣＵ４９を含むコンセント装置４０の各種電子機器に供給する。これにより、ＥＣＵ４９等の各種電子機器の動作電源が確保されている。
【００２７】
電流計測部４５は、分岐電路ＷＥの電圧相ＬＥ１を流れる電流値ＩＥ１を検出するとともに、検出された電流値ＩＥ１に応じた検出信号をＥＣＵ４９に送信する。
設定部４６は、コンセント装置４０の各種パラメータを設定したり、あるいは設定されたパラメータを変更したりする際に作業者により操作される部分である。例えば、設定部４６では、パーソナルコンピュータや端末装置等の外部機器を接続することによりパラメータの設定や変更等が可能となっている。設定部４６において設定可能なパラメータには、コンセント装置４０の優先度Ｐ等が含まれている。優先度Ｐは、コンセント装置４０の動作電流を遮断する優先度を示すものであって、複数のコンセント装置４０毎に個別に設定されている。優先度Ｐは、その値が小さいものほど、遮断される優先度が高いことを示す。すなわち、同報装置３０から複数のコンセント装置４０に電流逸脱情報が送信された場合、複数のコンセント装置４０のうち、優先度Ｐの値が小さいものが優先的に遮断状態となる。設定部４６は、設定されたパラメータを表示する表示部４６０を有している。したがって、作業者は、表示部４６０の表示を見ることにより、設定部４６にて設定された優先度Ｐ等を確認することができる。設定部３３は、設定又は変更された優先度Ｐ等の情報をＥＣＵ３５に送信する。
【００２８】
通信部４７は、同報装置３０から無線通信により送信される各種情報を受信するとともに、受信した情報をＥＣＵ４９に送信する。
発光装置４８は、ＬＥＤ等により構成されている。発光装置４８は、その発光により報知を行う。例えば発光装置４８は、その発光色を緑色や赤色等に変化させることができる。また、発光装置４８は、その点灯状態を常時点灯状態や点滅状態に変化させることもできる。発光装置４８は、このように発光状態を変化させることにより、コンセント装置４０の各種動作状態を、住宅の居住者であるユーザに報知する。本実施形態では、発光装置４８が報知部に相当する。
【００２９】
ＥＣＵ４９は、同報装置３０のＥＣＵ３５と同様に、ＣＰＵやＲＯＭ、ＲＡＭ、不揮発性メモリ等を有するマイクロコンピュータを中心に構成されている。本実施形態では、ＥＣＵ４９が制御部に相当する。ＥＣＵ４９の不揮発性メモリには、設定部４６からＥＣＵ４９に送信される優先度Ｐ等の情報が記憶される。ＥＣＵ４９は、同報装置３０から送信される電流逸脱情報を通信部４７により受信すると、受信した電流逸脱情報に基づいて遮断判定値Ｉｔｈを設定する。そして、ＥＣＵ４９は、電流計測部４５を通じて検出される電流値ＩＥ１が遮断判定値Ｉｔｈ以上になった場合に、駆動部４３を介してスイッチング素子４２をオフ状態に切り替えることにより、プラグ挿入部４１、並びにプラグ挿入部４１に接続される電気機器への電力供給を遮断する。また、ＥＣＵ４９は、電流逸脱情報を受信したときと、プラグ挿入部４１への電力供給を遮断したときとで発光装置４８の発光状態を切り替えることにより、コンセント装置４０の状態をユーザに認識し易くする。
【００３０】
次に、図４を参照して、このＥＣＵ４９により実行される処理の具体的な手順について説明する。なお、ＥＣＵ４９は、図４に示される処理を所定の周期で繰り返し実行する。
図４に示されるように、ＥＣＵ４９は、まず、ステップＳ１０の処理として、同報装置３０から送信される電流逸脱情報を受信したか否かを判断する。ＥＣＵ４９は、電流逸脱情報を受信していない場合には、ステップＳ１０の処理で否定判断し、図４に示される処理を一旦終了する。
【００３１】
ＥＣＵ４９は、ステップＳ１０の処理で肯定判断した場合、すなわち電流逸脱情報を受信した場合には、ステップＳ１１の処理として、発光装置４８により第１報知態様で報知を行う。具体的には、ＥＣＵ４９は、コンセント装置４０が正常な状態である場合には、発光装置４８を緑色で点滅させている。ＥＣＵ４９は、電流逸脱情報を受信した場合には、発光装置４８を赤色で点滅させる。本実施形態では、発光装置４８が赤色で点滅している状態が、第１報知態様に相当する。
【００３２】
ＥＣＵ４９は、ステップＳ１１に続くステップＳ１２の処理として、遮断判定値Ｉｔｈを演算する。具体的には、ＥＣＵ４９は、電流逸脱情報に含まれている逸脱電流値ΔＩと、不揮発性メモリに記憶されている優先度Ｐとから演算式に基づいて遮断判定値Ｉｔｈを演算する。遮断判定値Ｉｔｈは、基本的には、逸脱電流値ΔＩが大きくなるほど、また優先度Ｐの値が小さくなるほど、より低い値となるように設定されている。例えば遮断判定値Ｉｔｈは、以下の式ｆ１により演算することができる。なお、下記の式ｆ１における「Ｉｔｈｂ」は、予め定められた基準判定値である。「α」は、予め定められた係数である。
【００３３】
Ｉｔｈ＝Ｉｔｈｂ−（ΔＩ×α）／Ｐ  （ｆ１）
ＥＣＵ４９は、ステップＳ１２に続くステップＳ１３の処理として、電流計測部４５により計測された電流値ＩＥ１が遮断判定値Ｉｔｈ以上であるか否かを判断する。ＥＣＵ４９は、電流値ＩＥ１が遮断判定値Ｉｔｈ未満である場合には、ステップＳ１３の処理で否定判断し、図４に示される処理を一旦終了する。
【００３４】
ＥＣＵ４９は、ステップＳ１３の処理で肯定判断した場合、すなわち電流値ＩＥ１が遮断判定値Ｉｔｈ以上である場合には、ステップＳ１４の処理として、駆動部４３を介してスイッチング素子４２をオフ状態にすることによりプラグ挿入部４１への電力供給を遮断する。結果的に、プラグ挿入部４１に接続されている電気機器への電力供給も遮断される。
【００３５】
ＥＣＵ４９は、ステップＳ１４の処理に続くステップＳ１５の処理として、発光装置４８により第２報知態様で報知を行う。具体的には、ＥＣＵ４９は、発光装置４８を赤色で常時点灯させる。
以上説明した本実施形態のコンセント装置４０によれば、以下の（１）〜（４）に示される作用及び効果を得ることができる。
【００３６】
（１）発光装置４８は、同報装置３０から送信される電流逸脱情報を通信部４７により受信することを条件に第１報知態様で発光する。第１報知態様は、赤色で点滅している状態である。こうした発光装置４８の報知により、プラグ挿入部４１への電力の供給が遮断される状況が近いことをユーザが認知できる。よって、ユーザがコンセント装置の状態を認識し易くなる。また、その後にプラグ挿入部４１への電力の供給が実際に遮断されることにより、コンセント装置の消費電力を低減することもできる。
【００３７】
（２）発光装置４８は、プラグ挿入部４１への電力の供給が実際に遮断されることを条件に第２報知態様で発光する。第２報知態様は、赤色で常時点灯している状態である。これにより、発光装置４８の報知態様が赤色の点滅状態から赤色の常時点灯状態に切り替わることにより、プラグ挿入部４１への電力の供給が実際に遮断されたことをユーザが認知できるため、コンセント装置４０の状態をユーザが更に認識し易くなる。
【００３８】
（３）プラグ挿入部４１への電力の供給を制限する電力供給制限部として、プラグ挿入部４１の電路ＷＥを遮断するスイッチング素子４２を用いることとした。これにより、プラグ挿入部４１への電力の供給を確実に遮断することができるため、より確実にコンセント装置４０の消費電力を低減することができる。
【００３９】
（４）コンセント装置４０の状態を報知する報知部として、発光により報知を行う発光装置４８を用いることとした。これにより、ユーザは発光装置４８の発光態様によりコンセント装置４０の状態を容易に認識することができる。
＜第２実施形態＞
次に、コンセント装置４０の第２実施形態について説明する。以下、第１実施形態のコンセント装置４０との相違点を中心に説明する。
【００４０】
本実施形態のＥＣＵ４９は、図４に示されるステップＳ１１の処理において発光装置４８により第１報知態様で報知を行う際に、電流逸脱情報に含まれている逸脱電流値ΔＩに基づいて発光装置４８の発光態様を変化させる。具体的には、第１報知態様は、第１実施形態で述べた通り、発光装置４８を赤色で所定の時間間隔を置いて断続的に点滅させるものである。ＥＣＵ４９は、逸脱電流値ΔＩが大きくなるほど、所定の時間間隔を短くする。なお、ＥＣＵ４９は、ＲＯＭに予め記憶されている演算式又はマップに基づいて、逸脱電流値ΔＩから所定の時間間隔を演算する。
【００４１】
以上説明した本実施形態のコンセント装置４０によれば、以下の（５）に示される作用及び効果を更に得ることができる。
（５）逸脱電流値ΔＩが大きくなるほど、すなわち電流値ＩＡ１及び電流値ＩＡ２の少なくとも一方と電流基準値との偏差が大きくなるほど、発光装置４８の点滅の時間間隔が短くなる。これにより、発光装置４８の点滅の時間間隔の変化に基づいて、プラグ挿入部４１への電力の供給が遮断される状況がどの程度近いかをユーザが認知することができるため、コンセント装置４０の状態をユーザが更に認識し易くなる。
【００４２】
＜他の実施形態＞
なお、各実施形態は、以下の形態にて実施することもできる。
・遮断判定値Ｉｔｈの演算方法は、上記の式ｆ１に基づく演算方法に限らず、任意の演算方法を採用することができる。また、その演算方法によっては、同報装置３０からコンセント装置４０に送信される情報として、逸脱電流値ΔＩとは異なる情報を用いてもよい。要は、コンセント装置４０は、同報装置３０から送信される電流調整指令に基づいて遮断判定値Ｉｔｈを設定するものであればよい。
【００４３】
・コンセント装置４０は、プラグ挿入部４１に供給される電力を遮断するスイッチング素子４２を有するものに限らず、プラグ挿入部４１に供給される電力を制限する所定の電子回路等を有するものであってもよい。この場合、プラグ挿入部４１に供給される電力を制限する所定の電子回路等が電力供給制限部に相当する。
【００４４】
・コンセント装置４０に設けられる報知部は、発光装置４８に限らず、例えば音を発することにより報知を行うスピーカ装置等であってもよい。
・分電盤２０は、電流制限器を更に有するものであってもよい。この場合、同報装置３０のＥＣＵ３５は、２つの電圧相のそれぞれを流れる電流値の合計値が電流基準値以上になることに基づいて、複数のコンセント装置４０に電流逸脱情報を送信すればよい。なお、ＥＣＵ３５は、電流値の合計値から電流基準値を減算することにより逸脱電流値ΔＩを演算するとともに、演算された逸脱電流値ΔＩを電流逸脱情報としてコンセント装置４０に送信する。
【００４５】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４６】
ＷＥ：電路
３０：同報装置
４０：コンセント装置
４１：プラグ挿入部
４２：スイッチング素子（電力供給制限部）
４５：電流計測部
４７：通信部
４８：発光装置（報知部）
４９：ＥＣＵ（制御部）
【図１】
2019118225.tif 000003
【図２】
2019118225.tif 000004
【図３】
2019118225.tif 000005
【図４】
2019118225.tif 000006